(57)【要約】【課題】流体を利用して駆動する原動機において、作動流体を循環利用しかつ小型化を図ることを目的としている。【解決手段】課題を解決するための原動機は、外部からの力により内圧が変化する第１の容器１ａと、隔たれた空間２ｃを、内部に有する第２の容器２ａと、前記第１の容器１ａと、前記第２の容器２ａと、が流体を共有するための流体経路３ａと、流体の流動により回転する回転体４ａと、を備えることを特徴とする。【選択図】図３
2011179506.tif 000002
【特許請求の範囲】
【請求項１】
外部からの力により内圧が変化する第１の容器と、
隔たれた空間を、内部に有する第２の容器と、
前記第１の容器と、前記第２の容器と、が流体を共有するための流体経路と、
流体の流動により回転する回転体と、
を備えることを特徴とする、原動機
【請求項２】
請求項１記載の原動機であって、
流体の流動を第１の容器から第２の容器への方向に制限する手段を備えた流体経路を少なくとも１つと、
流体の流動を第２の容器から第１の容器への方向に制限する手段を備えた流体経路を少なくとも１つと、
を備えることを特徴とする、原動機。
【請求項３】
請求項１もしくは請求項２、記載の原動機であって、
前記第２の容器、および、前記流体経路、および、前記回転体、の少なくとも１つが、前記第１の容器の内部にあることを特徴とする、原動機。
【請求項４】
請求項１もしくは請求項２もしくは請求項３、記載の原動機であって、前記第２の容器内部の隔たれた空間の、流体および量を変更できることを特徴とする、原動機。
【請求項５】
請求項１もしくは請求項２もしくは請求項３もしくは請求項４、記載の原動機において、回転体の回転運動により発電する発電手段を備えることを特徴とする、発電機。
【発明の詳細な説明】
【技術分野】
【０００１】  本発明は、流体を利用して駆動する原動機に関するものである。
【背景技術】
【０００２】  従来の流体を利用した原動機において、作動流体が流動するための、作動流体が侵入しない容積の変化する隔たれた空間を有する原動機はなかった。
【発明の概要】
【発明が解決しようとする課題】
【０００３】  流体を利用して駆動する原動機において、作動流体を循環利用しかつ小型化を図ることを目的としている。
【課題を解決するための手段】
【０００４】  課題を解決するための請求項１記載の原動機は、外部からの力により内圧が変化する第１の容器１ａと、隔たれた空間２ｃを、内部に有する第２の容器２ａと、前記第１の容器１ａと、前記第２の容器２ａと、が流体を共有するための流体経路３ａと、流体の流動により回転する回転体４ａと、を備えることを特徴とする。【０００５】  課題を解決するための請求項２記載の原動機は、請求項１記載の原動機であって、流体の流動を第１の容器１ａから第２の容器２ａへの方向に制限する手段を備えた流体経路３ａを少なくとも１つと、流体の流動を第２の容器２ａから第１の容器１ａへの方向に制限する手段を備えた流体経路３ａを少なくとも１つと、を備えることを特徴とする。【０００６】  課題を解決するための請求項３記載の原動機は、請求項１もしくは請求項２、記載の原動機であって、前記第２の容器２ａ、および、前記流体経路３ａ、および、前記回転体４ａ、の少なくとも１つが、前記第１の容器１ａの内部にあることを特徴とする。【０００７】  課題を解決するための請求項４記載の原動機は、請求項１もしくは請求項２もしくは請求項３、記載の原動機であって、前記第２の容器２ａ内部の隔たれた空間２ｃの、流体および量を変更できることを特徴とする。【０００８】  課題を解決するための請求項５記載の発電機は、請求項１もしくは請求項２もしくは請求項３もしくは請求項４、記載の原動機において、回転体４ａの回転運動により発電する発電手段を備えることを特徴とする。
【発明の効果】
【０００９】  隔たれた空間２ｃが、流体を受ける容器の役割と、流体を戻すポンプの役割をするため小型化を図ることができ、流動の方向を制限することで原動機の効率を上げることができ、第１の容器１ａの内部に構成要素の一部を備えることでより小型化を図ることができ、隔たれた空間２ｃ内部の流体を容易に調整できるようにすることで原動機が駆動するのに必要な力の範囲を容易に調整でき、原動機を発電に利用することで、産業上の利用価値が高まる。
【図面の簡単な説明】
【００１０】
【図１】原動機の概要図。
【図２】原動機の概要図。
【図３】原動機の概要図。
【図４】原動機の概要図。
【図５】原動機の概要図。
【図６】原動機の概要図。
【図７】原動機の概要図。
【図８】流体の経路に回転体を設置した場合の概略図。
【発明を実施するための形態】
【実施例１】
【００１１】  第１の容器１ａと、第２の容器２ａと、を流体を共有できるように流体の経路としての流体経路３ａで結び、第１の容器１ａから第２の容器２ａへおよび、第２の容器２ａから第１の容器１ａへ、の少なくとも１つの方向へ流体が流動する際の、流体の流動を回転へと変えるための回転体４ａを、流体の移動の際に回転を行うように備えさせ、外部へ流体が流出しないように構成し、流体の流動により駆動する原動機とする。［図１］、［図２］、［図３］、［図４］、［図５］、［図６］、［図７］、が、この場合の１例であり、概要図である。また、［図８］が流体の経路に回転体を設置した場合の概略図であり、［図１］、［図２］、［図３］、［図４］、［図５］、［図６］、［図７］、では概要のみとし簡略化しているがこのように流体が流出しないように回転体を備えるようにする。この時の流体は流体であればよく、気体や液体など流動性をもつものから最適のものを用いればよい。流体としては水や石鹸水や油や空気や窒素など周知のものが多くあるため説明を省略する。【００１２】  ［図３］、［図４］、［図６］、［図７］、のように、第２の容器２ａおよび流体経路３ａおよび回転体４ａを第１の容器内部１ａに備えるようにしてもよい、また、第２の容器２ａおよび流体経路３ａおよび回転体４ａの少なくとも１つを第１の容器内部１ａに備えるようにしてもよい。【００１３】  第１の容器１ａは、外部からの力を受けて内容積が変化し内圧が変化するようなものであれば良い。【００１４】  第１の容器１ａは例えば、変形可能な伸縮性が無く流体を透過しない形成材を風船形状や容器形状や蛇腹形状に流体が流出しないように形成する。【００１５】  第２の容器２ａは、外部からの力では内容積が変化せず、内圧を受けて容積が変化する隔たれた空間２ｃを有していれば良い。【００１６】  第２の容器２ａは例えば、変形せず伸縮性が無く流体を透過しない形成材を風船形状や容器形状に形成する。隔たれた空間２ｃは一定の空間を保つようにすることが望ましく、内圧を受けて容積が変化したのち内圧が減少した際には変化前の容積に戻るように構成する。例えば、第２の容器２ａの内部を、伸縮性があり流体を透過しない形成材で隔壁２ｂを形成し隔てることにより隔たれた空間２ｃを形成する。この他にも、隔たれた空間２ｃを内包し密閉した風船形状や容器形状の第３の容器２ｄを第２の容器内に備えるようにしたり、第２の容器をシリンダ形状にし、ピストン２ｅにより隔たれた空間２ｃを形成したり、してもよい。この時の第３の容器２ｅは伸縮性があり流体を透過しない形成材で形成することが望ましく、ピストンとシリンダは変形せず伸縮性が無く流体を透過しない形成材で形成することが望ましい。隔たれた空間２ｃ内部は真空状態でもよいし、流体を有してもよく原動機の構成上最適な状態とすればよい。【００１７】  隔たれ空間２ｃが、一定の空間を保つのを補助するための弾性体７ａを隔たれた空間２ｃ内部に備えるようにしたり、磁石を互いが反発しあうように２ｃ内部に設置したりしてもよい。【００１８】  隔たれた空間２ｃは、隔たれた空間２ｃの内部の流体の種類や量を調変更できるように調整手段６ａを備えることがより望ましい。流体の種��や量をできるようにする場合は、例えば球技のボールに用いられている弁やタイヤに用いられている弁などのようなものを、空間を形成する壁面の一部に設け、流体の種類や量を調整できるようにする。【００１９】  ［図２］、［図５］、のように、隔たれた空間２ｃは、閉空間でなくともよい。ただしこの場合は、隔たれた空間２ｃが、一定の空間を保つことができるように、弾性体７ａを隔たれた空間２ｃ内部に備えるか、第２の容器２ａの内部を隔てる形成材を伸縮性があり流体を透過しない形成材とすることが望ましい。【００２０】  流体経路３ａは、第１の容器１ａと、第２の容器２ａと、が流体を共有できるようなものであれば良い。【００２１】  流体経路３ａは例えば、変形せず伸縮性が無く流体を透過しない形成材を筒形状に形成する。【００２２】  流体の流動を第１の容器１ａから第２の容器２ａへ、もしくは第２の容器２ａから第１の容器１ａへと制限する場合は、逆止め弁など、一方向にのみ流体の流動を可能とするような手段を流動経路に備え制限する。［図１］、［図３］、［図４］において、５ａは流体の流動を第１の容器１ａから第２の容器２ａへ制限しており、５ｂは流体の流動を第２の容器２ａから第１の容器１ａへ制限している。【００２３】  回転体４ａは、流体を受け、回転を行うようなものであれば良い。【００２４】  回転体４ａは、タービンや水力発電や風力発電などに用いられているような羽根車などの流体を受けて回転するようなものであればよい。【００２５】  回転体４ａの回転により発電を行うようにすることがより望ましい。【００２６】  回転体４ａの回転により、発電を行うようにする場合は、回転体４ａ自体が発電能力をもったものや、回転体４ａの回転を利用して発電機を駆動するものなど周知のものが多くあり最適なものを用いれば良い。周知のものとしてオルタネータやダイナモなど電磁誘導により誘導電流を発生させるものがある。【００２７】  変形可能な伸縮性が無く流体を透過しない形成材としては、エラストマーや合成ゴムや天然ゴムや合成樹脂や天然樹脂等の高分子化合物を伸縮しないようにしたものを用いれば良い。ただし、変形し伸縮性が無く流体を透過しないものであれば良くこの限りではない。【００２８】  変形せず伸縮性が無く流体を透過しない形成材としては、金属や木材や高分子化合物を硬化させたもの等を用いればよい。ただし、変形せず伸縮性が無く流体を透過しないものであればよくこの限りではない。【００２９】  伸縮性があり流体を透過しない形成材としては、エラストマーや合成ゴムや天然ゴムや合成樹脂や天然樹脂等の高分子化合物を用いればよい。ただし、伸縮性があり流体が透過しないものであれば良くこの限りではない。【００３０】  弾性体７ａは、ばねやスポンジや合成ゴムや天然ゴムや合成樹脂や天然樹脂などの弾性をもつものであれよい。ただし、弾性を持っていれば良くこの限りではない。【００３１】  原動機内の流体の流動について説明する。第１の容器１ａに掛かる外圧が高まると内圧が高まり、この内圧により第２の容器２ａの隔たれた空間２ｃの容積が減少し、減少に伴い第１の容器１ａから第２の容器２ａへと流体が流動する。また第１の容器１ａに掛かる外圧が減少すると、内圧が減少し第２の容器２ａの隔たれた空間２ｃの容積が増加し、増加に伴い第２の容器２ａから第１の容器１ａへと流体が流動する。
【実施例２】
【００３２】  かかと部分に空洞を有する靴を作製し、かかと部分に本発明の発電機を設置し使用する。
【符号の説明】
【００３３】  １ａ  第１の容器
２ａ  第２の容器
２ｂ  隔壁
２ｃ  隔たれた空間
２ｄ  ピストン
２ｅ  第３の容器
３ａ  流体経路
４ａ  回転体
５ａ  逆止め弁
５ｂ  逆止め弁
６ａ  調整手段
７ａ  弾性体
【図１】
2011179506.tif 000003
【図２】
2011179506.tif 000004
【図３】
2011179506.tif 000005
【図４】
2011179506.tif 000006
【図５】
2011179506.tif 000007
【図６】
2011179506.tif 000008
【図７】
2011179506.tif 000009
【図８】
2011179506.tif 000010